(57)【特許請求の範囲】
【請求項１】
幹線ケーブルの導体に分岐ケーブルの導体を接続した部分をモールドする方法であって、
位置決め用孔を形成する突起が設けられた成形金型を用い、この成形金型を、幹線ケーブルの導体に分岐ケーブルの導体を接続した部分に配置し、この状態で成形金型内に樹脂注入を行って、位置決め用孔を有した内側モールド部を成形し、次いで位置決めピンが設けられた外側モールド部の成形金型を用い、その位置決めピンを前記内側モールド部の位置決め用孔に挿入して外側モールド部の成形金型を前記内側モールド部に対して位置決めし、この状態で外側モールド部の成形金型内に樹脂注入を行って、前記内側モールド部を覆う外側モールド部を成形することを特徴とするケーブル分岐部のモールド方法。
【発明の詳細な説明】
【０００１】
【発明の属する技術分野】
本発明は、例えばＣＶケーブル（架橋ポリエチレン絶縁ビニルシースケーブル）等のケーブル分岐部のモールド方法に関する。
【０００２】
【従来の技術】
近年、一般住宅用あるいは業務用のソーラーシステムが種々開発されている。ソーラーシステムは、例えば複数個の太陽電池セルからなる太陽電池モジュールを建物の屋根や屋上に複数配列し、それらをケーブル接続することによって構築されている。
【０００３】
このような太陽電池モジュールの接続、あるいは融雪瓦用モジュールやテープヒータ用モジュールなどの電気機器の接続には、ＣＶケーブル等の電力ケーブルが用いられている。ＣＶケーブルは、導体（より線）を覆う絶縁体がＰＥ（ポリエチレン）、シース材がＰＶＣで構成されている。
【０００４】
ＣＶケーブルの敷設において、幹線から分岐線を分岐する場合、一般に、図１１に示すように、幹線ケーブル１の導体１ａに分岐ケーブル２の導体２ａを接続した後、その導体接続部分（分岐部）の絶縁を確保するため、ケーブル分岐部をＰＶＣ（ポリ塩化ビニル）２０１にてモールドしている。
【０００５】
【発明が解決しようとする課題】
ところで、ＣＶケーブルの分岐部をＰＶＣでモールドした構造（図１１）によれば、ＰＶＣとケーブル導体との密着性が良くないため、高い防水性能が得られないという問題がある。
【０００６】
本発明はそのような実情に鑑みてなされたもので、防水性能に優れたケーブル分岐部のモールド構造を成形するのに適したモールド方法の提供を目的とする。
【０００７】
【課題を解決するための手段】
本発明に係るモールド方法により形成される分岐部のモールド構造は、幹線ケーブルの導体に分岐ケーブルの導体を接続した部分を絶縁・保護するモールド部が、導体の接続部分を覆うように樹脂成形された内側モールド部と、その内側モールド部を覆うように樹脂成形された外側モールド部からなる２重成形構造となっていることによって特徴づけられる。
【０００８】
より具体的には、絶縁体がＰＥ、シース材がＰＶＣで構成されるＣＶケーブルの分岐部を絶縁・保護するモールド部が、内側モールド部と外側モールド部からなる２重構造となっており、その内側モールド部がＰＥ、外側モールド部がＰＶＣにて成形されていることによって特徴づけられる。
【０００９】
上記のモールド構造によれば、ケーブル分岐部を絶縁・保護するモールド部を２重成形構造としているので、内側モールド部の樹脂を、ケーブル導体との密着性が良いＰＥとすることが可能となり、防水性能を高めることができる。
【００１０】
ここで、モールド部を２重成形構造とする場合、内側モールド部の成形と、外側モールド部の成形の２度の成形を行う必要があり、その外側モールド部を成形する際に、内側モールド部と外側モールド部との間に位置ずれが発生する可能性がある。このような位置ずれが発生すると、外側モールド部に肉厚の薄い部分ができてしまい、目的とする防水性能が得られなくなる。
【００１１】
本発明のモールド方法は、そのような問題を解決すべくなされたもので、ケーブル導体の接続部分を覆う内側モールド部の成形時において位置決め用孔を形成し、次いで、位置決めピンが設けられた成形金型を用い、その位置決めピンを内側モールド部の位置決め用孔に挿入して、成形金型を内側モールド部に対して正確に位置決めし、この状態で成形金型内に樹脂注入を行って、内側モールド部を覆う外側モールド部を成形することによって特徴づけられる。
【００１２】
【発明の実施の形態】
本発明の実施形態を、以下、図面に基づいて説明する。
【００１３】
まず、ＣＶケーブルの分岐は、図５に示すように、幹線ケーブル１のシース材（ＰＶＣ）１ｃ及び絶縁体（ＰＥ）１ｂを剥がして導体１ａを露出させる。次に、分岐ケーブル２の端部のシース材（ＰＶＣ）２ｃ及び絶縁体（ＰＥ）２ｂを剥がして導体２ａを露出させ、その導体２ａを幹線ケーブル１の導体１ａに接続するという要領にて行う。なお、図５に示す例では、分岐部において幹線ケーブル１と分岐ケーブル２のシース材１ｃ、２ｃの一部を剥がして、絶縁体１ｂ、２ｂの一部を露出させている。
【００１４】
本実施形態は、以上のＣＶケーブルの分岐部のモールド構造であって、図１〜図４に示すように、幹線ケーブル１と分岐ケーブル２の導体１ａ、２ａの接続部分を覆うように内側モールド部１１が樹脂成形されている。さらに内側モールド部１１を覆うように外側モールド部１２が樹脂成形されており、モールド部１０の全体が２重成形構造となっている。
【００１５】
内側モールド部１１の樹脂にはＰＥが用いられている。この内側モールド部１１は、幹線ケーブル１と分岐ケーブル２の導体１ａ、２ａ及び各ケーブルの絶縁体１ｂ、２ｂ（シース材１ｃ、２ｃの一部も含む）の各外周面に密着している。
【００１６】
外側モールド部１２の樹脂にはＰＶＣが用いられている。この外側モールド部１１は、幹線ケーブル１と分岐ケーブル２の各シース材１ｃ、２ｃの外周面に密着している。
【００１７】
このように、本実施形態では、内側モールド部１１の樹脂として、ＣＶケーブルの絶縁体１ｂ、２ｂと同じ樹脂（ＰＥ）を用いているので、内部モールド部１１と絶縁体１ｂ、２ｂとの密着性が高くなる。さらに、外側モールド部１２の樹脂として、ＣＶケーブルのシース材１ｃ、２ｃと同じ樹脂（ＰＶＣ）を用いているので、外側モールド部１２と各シース材１ｃ、２ｃとの密着性も高くなる。従って、２重の防水効果による高い防水性能を得ることができる。
【００１８】
次に、図１〜図４に示すモールド構造を成形する方法を、図６〜図１０を参照しつつ説明する。
【００１９】
まず、図５に示した要領にて幹線ケーブル１の導体１ａと分岐ケーブル２の導体２ａとを接続しておく。
【００２０】
図６（Ａ）及び（Ｂ）に示すように、導体１ａ、２ａの接続部分を、成形金型１０１のキャビティ１０１ｂ内に配置し、そのキャビティ１０１ｂ内に溶融樹脂（ＰＥ）を注入して内側モールド部１１を成形する（図７（Ａ）及び（Ｂ））。
【００２１】
内側モールド部１１の成形金型１０１には、上下型の各４箇所に突起１０１ａ・・１０１ａが設けられており、成形後（型開放後）の内側モールド部１１に位置決め用孔１１ａ・・１１ａが形成される（図８（Ａ）及び（Ｂ））。
【００２２】
以上の内側モールド部１１の成形が完了した後、図９（Ａ）及び（Ｂ）に示すように、位置決めピン１０２ａ・・１０２ａが位置決め用孔１１ａ・・１１ａに対応する位置関係で設けられた成形金型１０２を、その各位置決めピン１０２ａをそれぞれ対応する位置決め用孔１１ａに挿入して、成形金型１０２を内側モールド部１１に対して正確に位置決めする。
【００２３】
この状態で、成形金型１０２のキャビティ１０２ｂ内に溶融樹脂（ＰＶＣ）を注入して外側モールド部１２を成形した後、成形金型１０２を開放する。これにより、図１〜図４に示す構造つまり内側モールド部１１と外側モールド部１２からなる２重成形構造のモールド部１０を得ることができる。
【００２４】
なお、以上の実施形態では、内側モールド部１１がＰＥ、外側モールド部１２がＰＶＣという組み合わせにて２重成形構造を構成しているが、その２種類の樹脂の組み合わせは任意であり、モールドを行うケーブルの種類等の条件に応じて適宜に選定すればよい。
【００２５】
本発明は、太陽電池モジュールの接続に用いるＣＶケーブルの分岐部のモールドほか、融雪瓦用モジュールあるいはテープヒータ用モジュールなどの電気機器の接続等に用いる各種ケーブルの分岐部のモールドにも適用できる。
【００２６】
【発明の効果】
以上説明したように、ケーブル分岐部のモールド構造を、内側モールド部と外側モールド部からなる２重成形構造としているので、内側モールド部の樹脂を、ケーブル導体との密着性が良いＰＥとすることが可能となり、優れた防水性能を確保することができる。
【００２７】
本発明のモールド方法によれば、上記した２重成形構造を成形するにあたり、外側モールド部の成形金型を内側モールド部に対して正確に位置決めすることができるので、外側モールド部の肉厚が部分的に薄くなることがなくなる。その結果、常に安定した防水性能を得ることができる。
【図面の簡単な説明】
【図１】本発明の実施形態の構造を示す水平断面図である。
【図２】図１の実施形態の平面図である。
【図３】図２のＸ−Ｘ断面図である。
【図４】図３のＹ−Ｙ断面図である。
【図５】ＣＶケーブルの分岐部の一例を模式的に示す図である。
【図６】図１〜図４に示す実施形態の成形方法の説明図である。
【図７】同じく成形方法の説明図である。
【図８】同じく成形方法の説明図である。
【図９】同じく成形方法の説明図である。
【図１０】同じく成形方法の説明図である。
【図１１】ケーブル分岐部のモールド構造の従来例を模式的に示す図である。
【符号の説明】
１  幹線ケーブル（ＣＶケーブル）
１ａ  導体
１ｂ  絶縁体
１ｃ  シース材
２  分岐ケーブル（ＣＶケーブル）
２ａ  導体
２ｂ  絶縁体
２ｃ  シース材
１０  モールド部
１１  内側モールド部
１１ａ  位置決め用孔
１２  外側モールド部
１０１  成形金型（内側モールド部成形用）
１０１ａ  突起
１０２  成形金型（外側モールド部成形用）
１０２ａ  位置決めピン
【図１】
0004080663.tif 000002
【図２】
0004080663.tif 000003
【図３】
0004080663.tif 000004
【図４】
0004080663.tif 000005
【図５】
0004080663.tif 000006
【図６】
0004080663.tif 000007
【図７】
0004080663.tif 000008
【図８】
0004080663.tif 000009
【図９】
0004080663.tif 000010
【図１０】
0004080663.tif 000011
【図１１】
0004080663.tif 000012